(57)【要約】      （修正有）【課題】よだれ除けの機能を付与することで、外出の労苦を軽減させる、多目的ブランケットを提供する。【解決手段】ブランケット本体である長方形の布繊維に、よだれ除け用の当て布の着脱や位置の移動を可能とするための固定用の留め具としてボタンまたは面ファスナーを複数個つけて、着脱可能なよだれ除け用の当て布を付与していることを特徴とする。【選択図】図２
0003157761.tif 000002
【実用新案登録請求の範囲】
【請求項１】
長方形の布繊維に、よだれ除け用の当て布の着脱や位置の移動を可能とするための固定用の留め具としてボタンまたは面ファスナーを複数個つけて、着脱可能なよだれ除け用の当て布を付与していることを特徴とするよだれ除け付き多目的ブランケット。
【請求項２】
長方形の布繊維の一端に沿って、着用時の前面留め具、およびよだれ除け用の当て布の着脱や位置の移動を可能とするための固定用の留め具としてボタンまたは面ファスナーを複数個つけて、着脱可能なよだれ除け用の当て布を付与していることを特徴とする請求項１に記載のよだれ除け付き多目的ブランケット。
【請求項３】
長方形の布繊維の一端に沿って、着用時の前面留め具、およびよだれ除け用の当て布を着脱や位置の移動を可能とするための固定用の留め具としてボタンまたは面ファスナーを複数個付与すると共に、フック、バー、紐に容易に装着できる固定具として、両端部にオス／メスを逆位置に取り付けた１個、又は複数個のボタン又は面ファスナーを配置していることを特徴とする請求項１、２に記載のよだれ除け付き多目的ブランケット。
【請求項４】
長方形の布繊維の一端に沿って、両端あるいは中央付近に１列から５列、着用時の前面留め具、およびよだれ除け用の当て布を着脱可能とする固定用の留め具としてボタンまたは面ファスナーを複数個付与すると共に、フック、バー、紐に容易に装着できる固定具として、列の両端部にオス／メスを逆位置に取り付けた１個、又は複数個のボタン又は面ファスナーを配置していることを特徴とする請求項１、２、３のいずれかに記載のよだれ除け付き多目的ブランケット。
【請求項５】
長方形の布繊維は、天然繊維、化学繊維であって、幅３００ｍｍ〜１０００ｍｍ、長さ８００ｍｍ〜２０００ｍｍであり、また、よだれ除けは、天然繊維、化学繊維、または防水性のあるシート、あるいはその組み合わせであって、幅３００ｍｍ〜１０００ｍｍ、長さ２００ｍｍ〜８００ｍｍであることを特徴とする請求項１〜４のいずれかに記載のよだれ除け付き多目的ブランケット。
【請求項６】
長方形の布繊維の一端に取り付けるボタンまたは面ファスナーは、１個〜６０個であることを特徴とする請求項１〜５のいずれかに記載のよだれ除け付き多目的ブランケット。
【請求項７】
長方形の布繊維をフック、バー、紐などに容易に装着でき、よだれ除け用の当て布を着脱可能とする固定用の留め具として、１本から３０本、好ましくは２本から２０本の紐、またはピンであることを特徴とする請求項１〜６のいずれかに記載のよだれ除け付き多目的ブランケット。
【考案の詳細な説明】
【技術分野】
【０００１】
女性の、とくに出産後の授乳期（乳児期）、幼児期、さらに育児期間の外出時などに、子供用・自分用・育児用などを兼ねて活用できるよだれ除け付きの多目的なブランケットに関するものである。
【背景技術】
【０００２】
授乳期（乳児期）や幼児期など、育児期間の外出時、女性は、携行を要するものが非常に多くなる。例えば、授乳に際し肌を見えにくくするための授乳カバー（特許文献１参照）や、ベビーカーに載せたり、だっこ紐で抱いた赤ちゃんを、保温・日除けのために覆うブランケット、よだれ拭き用タオルなどである。
【０００３】
そのため、従来から、育児期の女性に便利な商品として、これらの機能を兼用化させた携行用商品は存在した。例えば、ベビーカー使用時でも、だっこ紐使用時でも赤ちゃんを覆う機能を同様に果たせるケープ（特許文献２参照）や、授乳カバーとおんぶカバーを兼用させたカバー（特許文献３参照）などである。本考案者も、過去、授乳カバーやベビーカーなどへの固定機能をもたせたブランケットを考案し製品化した（特許文献４参照）。
【０００４】
しかし、積極的によだれ除けの役割を果たす機能を付与した商品は見られなかった。
【先行技術文献】
【特許文献】
【０００５】
【特許文献１】特開２００８−３１６１３
【特許文献２】特開２００４−３０８４
【特許文献３】特開２００９−４６７８８
【特許文献４】実願２００９−００３０１９
【考案の概要】
【考案が解決しようとする課題】
【０００６】
女性、とくに出産後の女性においては、育児期間（授乳期、乳児期、幼児期、さらに育児時間外も含め）、とくに外出時は携行を要する物が多く、外出は非常に労苦を伴うものであった。さらに、荷物が増えるだけでなく、とくによだれが多い赤ちゃんを抱いていると頭を肩にのせた形になり女性の肩はよだれで汚れてしまう（図５（１））ため、女性は肩にタオルなどの布を当てた状態で赤ちゃんを抱くことも多い。しかし、その布は落ちやすく、落ちると赤ちゃんを抱いたままでは布を拾い上げにくく、よだれ拭きやよだれ除けの保持は女性にとって大変な労苦であった。
【０００７】
本考案は、着脱や位置の移動が可能なよだれ除け用の当て布を付設した、簡単な構造のブランケットによって、よだれ拭きやよだれ除けの保持の労苦を著しく軽減することを目的とする。
また、このような抱っこ時のよだれ除けの機能を付与すると同時に、授乳用ケープ、外出時のとくに自動車運転時の肩・腕カバー、ベビーカーやチャイルドシート、あるいはだっこ紐使用時の赤ちゃんの保護・保温・日除けカバーとしての機能を付与することで、外出の労苦をさらに軽減させるよだれ除け付き多目的ブランケットを提供することを目的とする。
【課題を解決するための手段】
【０００８】
長方形の布繊維に、よだれ除け用の当て布の着脱や位置の移動を可能とするための固定用の留め具としてボタンまたは面ファスナーを複数個つけて、着脱可能なよだれ除け用の当て布を付与していることを特徴とするよだれ除け付き多目的ブランケットである。
【０００９】
長方形の布繊維の一端に沿って、着用時の前面留め具、およびよだれ除け用の当て布の着脱や位置の移動を可能とするための固定用の留め具としてボタンまたは面ファスナーを複数個つけて、着脱可能なよだれ除け用の当て布を付与しているよだれ除け付き多目的ブランケットである。
【００１０】
長方形の布繊維の一端に沿って、着用時の前面留め具、およびよだれ除け用の当て布を着脱や位置の移動を可能とするための固定用の留め具としてボタンまたは面ファスナーを複数個付与すると共に、フック、バー、紐に容易に装着できる固定具として、両端部にオス／メスを逆位置に取り付けた１個、又は複数個のボタン又は面ファスナーを配置しているよだれ除け付き多目的ブランケットである。
【００１１】
長方形の布繊維の一端に沿って、両端あるいは中央付近に１列から５列、着用時の前面留め具、およびよだれ除け用の当て布を着脱可能とする固定用の留め具としてボタンまたは面ファスナーを複数個付与すると共に、フック、バー、紐に容易に装着できる固定具として、列の両端部にオス／メスを逆位置に取り付けた１個、又は複数個のボタン又は面ファスナーを配置しているよだれ除け付き多目的ブランケットである。
【００１２】
長方形の布繊維は、天然繊維、化学繊維であって、幅３００ｍｍ〜１０００ｍｍ、長さ８００ｍｍ〜２０００ｍｍであり、また、よだれ除けは、天然繊維、化学繊維、または防水性のあるシート、あるいはその組み合わせであって、幅３００ｍｍ〜１０００ｍｍ、長さ２００ｍｍ〜８００ｍｍよだれ除け付き多目的ブランケットである。使用する化学繊維は、天然繊維との混紡繊維、例えば紫外線吸収繊維のポリエステルと綿の混紡繊維でもよく、防水性のあるシートは、プラスチックシートやコーティングをした天然繊維や化学繊維などでもよい。
【００１３】
長方形の布繊維の一端に取り付けるボタンまたは面ファスナーは、１個〜６０個であるよだれ除け付き多目的ブランケットである。
【００１４】
なお、ここでは、ボタン、または面ファスナーで留め具を構成しているが、１本から３０本、好ましくは２本から２０本の紐、またはピンを用いることでも、長方形の布繊維をフック、バー、紐などに容易に装着でき、よだれ除け用の当て布を着脱可能とすることができる。
【００１５】
これにより、携行が容易な非常に簡単な構造で単なるブランケット（ストール）としてだけでなく、よだれ除けや授乳用ケープ、外出時のとくに自動車運転時の肩・腕カバー、ベビーカーやチャイルドシートあるいはだっこ紐使用時の赤ちゃんの保護・保温・日除けカバーとしての多目的な使用が可能となった。
【考案の効果】
【００１６】
本考案の多目的ブランケットは、携行が容易な非常に簡単な構造で、ブランケットとしてだけでなく、ストールやよだれ除け、授乳用ケープ、外出時、とくに自動車運転時の肩・腕カバー、ベビーカーやチャイルドシート、あるいはだっこ紐使用時の赤ちゃんの保護・保温・日除けカバーとして幅広く活用できた。
【００１７】
また女性、とくに育児期間（授乳期、乳児期、幼児期、さらに育児時間外も含め）の女性は、外出に際し、携行を要するものが非常に多く、外出には多大な労苦を伴っていたが、本考案のよだれ除け付き多目的ブランケットを携行することにより、携行を要するものを非常に減らすことが可能となり、外出の労苦が非常に軽減された。
【図面の簡単な説明】
【００１８】
【図１】本発明の構成例として、固定用の留め具としてボタンを複数個つけ、着脱可能なよだれ除け用の当て布を付与した場合の製品概略図
【図２】本発明の構成例として、着用時の前面留め具、およびよだれ除け固定用の留め具としてボタンを複数個つけ、着脱可能なよだれ除け用の当て布を付与した場合の製品概略図
【図３（１）】本発明の構成例として、着用時の前面留め具、およびよだれ除け固定用の留め具としてボタンを複数個付与すると共に、両端部のボタンをオス／メス逆位置に取り付けた場合の製品概略図。
【図３（２）】本発明の構成例として、着用時の前面留め具、およびよだれ除け固定用の留め具としてボタンを複数個、布の両端に沿って付与すると共に、両端のボタンをオス／メス逆位置に取り付けた場合の製品概略図。
【図３（３）】本発明の構成例として、着用時の前面留め具、およびよだれ除け固定用の留め具としてボタンを複数個、布の両端および中央部に沿って付与すると共に、両端のボタンをオス／メス逆位置に取り付けた場合の製品概略図。
【図４（１）】本発明の構成例として、着用時の前面留め具、およびよだれ除け固定用の留め具としてボタンを複数個付与すると共に、両端部のボタンをオス／メス逆位置に取り付けた場合の製品概略図（よだれ除け付設時）。ａ．ずらして取り付けた時  ｂ．通常取り付け時
【図４（２）】本発明の構成例として、着用時の前面留め具、およびよだれ除け固定用の留め具としてボタンを複数個、布の両端に沿って付与すると共に、両端のボタンをオス／メス逆位置に取り付けた場合の製品概略図（よだれ除け付設時）。ａ．ずらして取り付けた時  ｂ．通常取り付け時
【図４（３）】本発明の構成例として、着用時の前面留め具、およびよだれ除け固定用の留め具としてボタンを複数個、布の両端および中央部に沿って付与すると共に、両端のボタンをオス／メス逆位置に取り付けた場合の製品概略図（よだれ除け付設時）。ａ．ずらして取り付けた時  ｂ．通常取り付け時
【図５】女性が長時間、幼児を抱いた時の様子（１）よだれ除けがない場合（よだれで女性の肩が汚れる）（２）本発明の図１の構成例において、よだれ除けをブランケットに固定し使用した場合
【図６】本発明の図２の構成例において、よだれ除けをブランケットに固定した概略図（１）ブランケットからずらして固定した場合の斜視図（２）ブランケットに沿って固定した場合の斜視図（３）実際の使用の様子（抱いた状態や授乳時）
【図７】本発明の図３（１）の構成例において、ブランケット本体をベビーカーにクリップなしで固定した様子
【図８】本発明の図３（２）の構成例において、ブランケットをよだれ除けを付設して羽織った様子
【図９】本発明のブランケットをよだれ除けをずらして付設して羽織った様子（１）ブランケット本体の中央付近にボタンがない場合（２）ブランケット本体の中央付近にボタンがある場合（本発明の図３（３））
【考案を実施するための形態】
【００１９】
図１は、本発明の構成例として、固定用の留め具としてボタンを複数個つけ、着脱可能なよだれ除け用の当て布を付与した場合の製品概略図である。
従来、図５（１）のように、よだれが多い赤ちゃんを抱いていると頭を肩にのせた形になり女性の肩はよだれで汚れてしまうが、本考案の製品を用いることで、図５（２）のように育児期間中の女性も外出時なども肩の汚れを気にせず、過ごすことが可能になった。
また、よだれ除けを着脱可能することで、交換用のよだれ除けのみを携行すれば、外出先でのよだれ除けの交換も可能となった。加えて、よだれ除けはずらして固定することも出来るため、赤ちゃんに合わせた自由な抱き方も可能となった。
【００２０】
図２は、本発明の構成例として、着用時の前面留め具、およびよだれ除け固定用の留め具としてボタンを複数個つけ、着脱可能なよだれ除け用の当て布を付与した場合の製品概略図である。
長方形の布繊維の一端に沿ってオスとメスを向い合せに配置したボタンによって、図６（１）、（２）のように、肩から羽織って前を閉じることも出来るため、ブランケットやストールとしての使用だけでなく、外出時に胸、肩や腕をカバーするように羽織る事が出来、簡易的な授乳カバーに用いたり、運転時に滑り落ちないように安全に羽織ることも可能となった（図６（３））。
【００２１】
図３（１）は、本発明の構成例として、着用時の前面留め具、およびよだれ除け固定用の留め具としてボタンを複数個付与すると共に、両端部のボタンをオス／メス逆位置に取り付けた場合の製品概略図である。また、図４（１）は、同構成において、よだれ除けをずらして付設した時（ａ）、よだれ除けを本体にあわせて付設した時（ｂ）の概略図である。
【００２２】
両端部のボタンをオス／メス逆位置に取り付けたことにより、図７に示すように、袋状にボタンを留めることが可能となり、ベビーカーやチャイルドシートあるいはだっこ紐のフック・バー・紐部などにクリップ等を使用せずに容易に長さを調節して脱着できるようになった。この時によだれ除けを付設することで、服やベビーカーへのよだれの付着を防ぐこともできる。これにより、本考案のよだれ除け付きブランケットは、外出時にブランケットとしてだけでなく、よだれ除け、ストール、授乳用ケープ、外出時とくに自動車運転時の肩・腕カバー、ベビーカーやチャイルドシートあるいはだっこ紐使用時の赤ちゃんの保護・保温・日除けカバーとして幅広く活用できる。
【００２３】
図３（２）は、本発明の構成例として、着用時の前面留め具、およびよだれ除け固定用の留め具としてボタンを複数個、布の両端に沿って付与すると共に、両端のボタンをオス／メス逆位置に取り付けた場合の製品概略図である。また、図４（２）は、同構成において、よだれ除けをずらして付設した時（ａ）、よだれ除けを本体にあわせて付設した時（ｂ）の概略図である。
【００２４】
ボタンをブランケット本体の両端に取り付けたことにより、図８に示すように、よだれ除けを本体にあわせて付設した時に、よだれ除けがめくれあがったりせず、安定して使用することが可能となる。
【００２５】
図３（３）は、本発明の構成例として、着用時の前面留め具、およびよだれ除け固定用の留め具としてボタンを複数個、布の両端および中央部に沿って付与すると共に、両端のボタンをオス／メス逆位置に取り付けた場合の製品概略図である。また、図４（３）は、同構成において、よだれ除けをずらして付設した時（ａ）、よだれ除けを本体にあわせて付設した時（ｂ）の概略図である。
【００２６】
ボタンが中央部付近にないと、よだれ除けをずらして付設した時に、図９（１）のようによだれ除けがめくれ上がったりしやすいが、ボタンをブランケット本体の両端および中央部に取り付けたことにより、図９（２）に示すように、よだれ除けをずらして付設した時でも、よだれ除けがめくれあがったりせず、安定して使用することが可能となる。これにより、より多くの体勢で赤ちゃんを抱いてもよだれ除けとして安心して使用できる。
【００２７】
本考案のよだれ除け付きブランケットは、ブランケットとしてだけでなく、よだれ除け、ストール、授乳用ケープ、外出時とくに自動車運転時の肩・腕カバー、ベビーカーやチャイルドシートあるいはだっこ紐使用時の赤ちゃんの保護・保温・日除けカバーとして幅広く活用できる。この具体的な例として、実施例で説明する。
【実施例１】
【００２８】
図２は構成例としてスタッド・ボタンを用いた場合の製品概略図である。本考案においては、肩に羽織った状態では乳幼児を抱いていても胸元・肩・腕をカバーできるように、またベビーカーに掛けた状態では乳幼児の足までカバーできるように、幅は５００ｍｍ、長さは１５００ｍｍのブランケットを使用した。布繊維は紫外線吸収繊維のポリエステルと綿の混紡繊維を用いた。肩に羽織った時に前を閉じれるように、一端に沿ってスタッドボタンをオスとメスを左右に６個づつ付けた。また、よだれ除けは、紫外線吸収繊維のポリエステルと綿の混紡繊維を表層、防水塩化ビニールコーティングを施した綿を裏層とし、吸収性を高める綿の中間層を挟んだ３層構造であり、幅５００ｍｍ、長さ２５０ｍｍとした。さらに、ブランケット本体に付設するため、間隔およびオス／メスを対応させたスタッドボタンを８個付けた
【００２９】
このものは、秋冬用としてはフリースや毛布などの織物素材、春夏用としては紫外線吸収素材などの薄手の繊維素材である。
図６は、本実施例の構成における、肩に羽織った状態の概略図である。
従来、よだれが多い赤ちゃんを抱いていると頭を肩にのせた形になり女性の肩はよだれで汚れてしまう（図５（１））が、本考案の製品を用いることで、育児期間中の女性も外出時なども肩の汚れを気にせず、過ごすことが可能になった。
【００３０】
さらに、よだれ除けを着脱可能することで、交換用のよだれ除けのみを携行すれば、外出先でのよだれ除けの交換も可能となった。また、よだれ除けはずらして固定することも出来るため、赤ちゃんに合わせた自由な抱き方も可能となった。
また、このボタンによって肩から羽織って前を閉じることも出来るため、ブランケットやストールとしての使用だけでなく、図６（３）のように、外出時に胸、肩や腕をカバーするように羽織る事が出来、簡易的な授乳カバーに用いたり、運転時に滑り落ちないように安全に羽織ることも可能となった。
【００３１】
これにより、単なるブランケット（ストール）としてだけでなく、よだれ除け、授乳用ケープ、外出時のとくに自動車運転時の肩・腕カバー、ベビーカーやチャイルドシートあるいはだっこ紐使用時の赤ちゃんの保護・保温・日除けカバーとしての使用が可能となった。
【実施例２】
【００３２】
図３（１）は構成例としてスタッド・ボタンを用いた場合の製品概略図である。本考案においては、肩に羽織った状態では乳幼児を抱いていても胸元・肩・腕をカバーできるように、またベビーカーに掛けた状態では乳幼児の足までカバーできるように、幅は５００ｍｍ、長さは１５００ｍｍのブランケットを使用した。布繊維は紫外線吸収繊維のポリエステルと綿の混紡繊維を用いた。肩に羽織った時に前を閉じれるように、一端に沿ってスタッドボタンをオスとメスを左右に６個づつ付けたが、一番外側のボタンについてはオス／メスを左右逆に取り付けた。また、よだれ除けは、紫外線吸収繊維のポリエステルと綿の混紡繊維を表層、防水塩化ビニールコーティングを施した綿を裏層とし、吸収性を高める綿の中間層を挟んだ３層構造であり、幅５００ｍｍ、長さ２５０ｍｍとした。さらに、ブランケット本体に付設するため、間隔およびオス／メスを対応させたスタッドボタンを８個付けた。
【００３３】
このものは、秋冬用としてはフリースや毛布などの織物素材、春夏用としては紫外線吸収素材などの薄手の繊維素材である。
図７は、本実施例の構成における、クリップを使用せずベビーカーに取り付けた状態の概略図である。
従来、よだれが多い赤ちゃんを抱いていると頭を肩にのせた形になり女性の肩はよだれで汚れてしまう（図５（１））が、本考案の製品を用いることで、育児期間中の女性も外出時なども肩の汚れを気にせず、過ごすことが可能になった。
【００３４】
さらに、よだれ除けを着脱可能することで、交換用のよだれ除けのみを携行すれば、外出先でのよだれ除けの交換も可能となった。また、よだれ除けはずらして固定することも出来るため、赤ちゃんに合わせた自由な抱き方も可能となった。
また、このボタンによって肩から羽織って前を閉じることも出来るため、ブランケットやストールとしての使用だけでなく、図６（３）と同様に、外出時に胸、肩や腕をカバーするように羽織る事が出来、簡易的な授乳カバーに用いたり、運転時に滑り落ちないように安全に羽織ることも可能となった
【００３５】
さらに、一部ボタンのオス／メスを逆に取り付けていることで、図７のように、袋状にボタンを留めることにより、ベビーカーやチャイルドシートあるいはだっこ紐のフック・バー・紐部などに容易に長さを調節して脱着できるようになった。この時によだれ除けを付設することで、服やベビーカーへのよだれの付着を防ぐこともできる。また、このボタンは、運転時の使用に際し袖部の固定として使用することもできる。
【００３６】
これにより、単なるブランケット（ストール）としてだけでなく、よだれ除け、授乳用ケープ、外出時のとくに自動車運転時の肩・腕カバー、ベビーカーやチャイルドシートあるいはだっこ紐使用時の赤ちゃんの保護・保温・日除けカバーとしての使用が可能となった。
【実施例３】
【００３７】
図３（２）は構成例としてスタッド・ボタンを用いた場合の製品概略図である。本考案においては、肩に羽織った状態では乳幼児を抱いていても胸元・肩・腕をカバーできるように、またベビーカーに掛けた状態では乳幼児の足までカバーできるように、幅は５００ｍｍ、長さは１５００ｍｍのブランケットを使用した。布繊維は紫外線吸収繊維のポリエステルと綿の混紡繊維を用いた。肩に羽織った時に前を閉じれるように、長手方向の両側端に沿って２列に、スタッドボタンをオスとメスを左右に６個づつ付けたが、一番外側のボタンについてはオス／メスを左右逆に取り付けた。また、よだれ除けは、紫外線吸収繊維のポリエステルと綿の混紡繊維を表層、防水塩化ビニールコーティングを施した綿を裏層とし、吸収性を高める綿の中間層を挟んだ３層構造であり、幅５００ｍｍ、長さ２５０ｍｍとした。さらに、ブランケット本体に付設するため、間隔およびオス／メスを対応させたスタッドボタンを８個付けた。図４（２）は、同構成において、よだれ除けをずらして付設した時（ａ）、よだれ除けを本体にあわせて付設した時（ｂ）の概略図である。
【００３８】
このものは、秋冬用としてはフリースや毛布などの織物素材、春夏用としては紫外線吸収素材などの薄手の繊維素材である。
ボタンをブランケット本体の両端に取り付けたことにより、図８に示すように、よだれ除けを本体にあわせて付設した時に、よだれ除けがめくれあがったりせず、安定して使用することが可能となる。
【００３９】
これにより、単なるブランケット（ストール）としてだけでなく、よだれ除け、授乳用ケープ、外出時のとくに自動車運転時の肩・腕カバー、ベビーカーやチャイルドシートあるいはだっこ紐使用時の赤ちゃんの保護・保温・日除けカバーとしてのより安心できる使用が可能となった。
【実施例４】
【００４０】
図３（３）は構成例としてスタッド・ボタンを用いた場合の製品概略図である。本考案においては、肩に羽織った状態では乳幼児を抱いていても胸元・肩・腕をカバーできるように、またベビーカーに掛けた状態では乳幼児の足までカバーできるように、幅は５００ｍｍ、長さは１５００ｍｍのブランケットを使用した。布繊維は紫外線吸収繊維のポリエステルと綿の混紡繊維を用いた。肩に羽織った時に前を閉じれるように、長手方向に沿って、両側端と中央付近に３列に、スタッドボタンをオスとメスを左右に６個づつ付けたが、一番外側のボタンについてはオス／メスを左右逆に取り付けた。また、よだれ除けは、紫外線吸収繊維のポリエステルと綿の混紡繊維を表層、防水塩化ビニールコーティングを施した綿を裏層とし、吸収性を高める綿の中間層を挟んだ３層構造であり、幅５００ｍｍ、長さ２５０ｍｍとした。さらに、ブランケット本体に付設するため、間隔およびオス／メスを対応させたスタッドボタンを８個付けた。図４（３）は、同構成において、よだれ除けをずらして付設した時（ａ）、よだれ除けを本体にあわせて付設した時（ｂ）の概略図である。
【００４１】
このものは、秋冬用としてはフリースや毛布などの織物素材、春夏用としては紫外線吸収素材などの薄手の繊維素材である。
ボタンが中央部付近にないと、よだれ除けをずらして付設した時に、図９（１）のようによだれ除けがめくれ上がったりしやすいが、ボタンをブランケット本体の両端および中央部に取り付けたことにより、図９（２）に示すように、よだれ除けをずらして付設した時でも、よだれ除けがめくれあがったりせず、安定して使用することが可能となる。これにより、より多くの体勢で赤ちゃんを抱いてもよだれ除けとして安心して使用できる。
【００４２】
これにより、単なるブランケット（ストール）としてだけでなく、よだれ除け、授乳用ケープ、外出時のとくに自動車運転時の肩・腕カバー、ベビーカーやチャイルドシートあるいはだっこ紐使用時の赤ちゃんの保護・保温・日除けカバーとしてのさらに安心できる使用が可能となった。
「比較例１」
【００４３】
比較例として、図５（１）に従来の女性が赤ちゃんを抱いた状態を示した。通常のストールなどを羽織っても、よだれを吸収するのには十分ではなく、女性の方は赤ちゃんのよだれ等でシミだらけになってしまう。服を汚したくない時は、厚手のタオルなどを肩にあてることも多い。しかし、肩にあてたタオルは落ちやすく、一度落ちると赤ちゃんを抱いたままでは拾い上げにくいため、よだれ拭きやよだれ除けの保持は女性にとって大変な労苦であった。
【符号の説明】
【００４４】
１    ブランケット（本体）
２    よだれ除け（当て布）
８１  スタッド・ボタン（オス）、
８２  スタッド・ボタン（メス）
【図１】
0003157761.tif 000003
【図２】
0003157761.tif 000004
【図３（１）】
0003157761.tif 000005
【図３（２）】
0003157761.tif 000006
【図３（３）】
0003157761.tif 000007
【図４（１）】
0003157761.tif 000008
【図４（２）】
0003157761.tif 000009
【図４（３）】
0003157761.tif 000010
【図５】
0003157761.tif 000011
【図６】
0003157761.tif 000012
【図７】
0003157761.tif 000013
【図８】
0003157761.tif 000014
【図９】
0003157761.tif 000015
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
ブランケット本体である長方形の布繊維に、よだれ除け用の当て布の着脱や位置の移動を可能とするための固定用の留め具としてボタンまたは面ファスナーを複数個つけて、着脱可能なよだれ除け用の当て布を付与していることを特徴とするよだれ除け付き多目的ブランケット。
【請求項２】
ブランケット本体である長方形の布繊維の一端に沿って、着用時の前面留め具、およびよだれ除け用の当て布の着脱や位置の移動を可能とするための固定用の留め具としてボタンまたは面ファスナーを複数個つけて、着脱可能なよだれ除け用の当て布を付与していることを特徴とする請求項１に記載のよだれ除け付き多目的ブランケット。
【請求項３】
ブランケット本体である長方形の布繊維の一端に沿って、着用時の前面留め具、およびよだれ除け用の当て布を着脱や位置の移動を可能とするための固定用の留め具としてボタンまたは面ファスナーを複数個付与すると共に、フック、バー、紐に容易に装着できる固定具として、両端部にオス／メスを逆位置に取り付けた１個、又は複数個のボタン又は面ファスナーを配置していることを特徴とする請求項１又は２に記載のよだれ除け付き多目的ブランケット。
【請求項４】
ブランケット本体である長方形の布繊維の一端に沿って、両端あるいは中央付近に１列から５列、着用時の前面留め具、およびよだれ除け用の当て布を着脱可能とする固定用の留め具としてボタンまたは面ファスナーを複数個付与すると共に、フック、バー、紐に容易に装着できる固定具として、列の両端部にオス／メスを逆位置に取り付けた１個、又は複数個のボタン又は面ファスナーを配置していることを特徴とする請求項１、２、３のいずれかに記載のよだれ除け付き多目的ブランケット。
【請求項５】
ブランケット本体である長方形の布繊維は、天然繊維、化学繊維であって、幅３００ｍｍ〜１０００ｍｍ、長さ８００ｍｍ〜２０００ｍｍであり、また、よだれ除けは、天然繊維、化学繊維、または防水性のあるシート、あるいはその組み合わせであって、幅３００ｍｍ〜１０００ｍｍ、長さ２００ｍｍ〜８００ｍｍであることを特徴とする請求項１〜４のいずれかに記載のよだれ除け付き多目的ブランケット。
【請求項６】
ブランケット本体である長方形の布繊維の一端に取り付けるボタンまたは面ファスナーは、１個〜６０個であることを特徴とする請求項１〜５のいずれかに記載のよだれ除け付き多目的ブランケット。
【請求項７】
ブランケット本体である長方形の布繊維をフック、バー、紐などに容易に装着でき、よだれ除け用の当て布を着脱可能とする固定用の留め具として、１本から３０本、好ましくは２本から２０本の紐、またはピンであることを特徴とする請求項１〜６のいずれかに記載のよだれ除け付き多目的ブランケット。